(57)【要約】【課題】送信電波に与える影響を低減しつつ、送信信号を増幅する増幅器における制御タイミングを調整すること。【解決手段】送信装置は、送信信号から第１の電圧制御信号を生成する第１の電圧制御信号生成部と、前記第１の電圧制御信号に応じて送信信号を増幅する増幅器と、第１の電圧制御信号による増幅器の電圧制御の制御タイミングを調整する第１のタイミング調整部と、増幅器からの出力信号と、送信信号とに基づいて、第１のタイミング調整部により調整される制御タイミングを設定する制御タイミング設定部とを有する。【選択図】図２
2011055178.tif 000002
【特許請求の範囲】
【請求項１】
送信信号から第１の電圧制御信号を生成する第１の電圧制御信号生成部と、
前記第１の電圧制御信号に応じて前記送信信号を増幅する増幅器と、
前記第１の電圧制御信号による前記増幅器の電圧制御の制御タイミングを調整する第１のタイミング調整部と、
前記増幅器からの出力信号と、前記送信信号とに基づいて、前記第１のタイミング調整部により調整される制御タイミングを設定する制御タイミング設定部と
を有する送信装置。
【請求項２】
請求項１に記載の送信装置において、
前記制御タイミング設定部は、
前記送信信号から第２の電圧制御信号を生成する第２の電圧制御信号生成部と、
前記増幅器からの出力信号から擬似的に電圧制御信号を生成する出力信号変換部と、
前記第２の電圧制御信号のタイミングを制御するタイミング制御部と、
前記第２の電圧制御信号と、前記タイミング制御部によりタイミングを制御された第２の電圧制御信号に基づいて、前記出力信号変換部により生成される疑似電圧制御信号に相当する信号を生成する信号生成部と、
該信号生成部により生成した信号と、前記疑似電圧制御信号とを比較する比較部と、
該比較部による比較結果に基づいて、前記第２の電圧制御信号のタイミングを決定し、該タイミングに基づいて、前記第１のタイミング調整部に設定すべき制御タイミングを決定する制御タイミング決定部と
を有する送信装置。
【請求項３】
請求項２に記載の送信装置において、
前記信号生成部は、前記第２の電圧制御信号と、前記タイミング制御部によりタイミングを制御された第２の電圧制御信号に基づいて、両者の最小値を出力する送信装置。
【請求項４】
請求項２又は３に記載の送信装置において、
前記比較部は、前記信号生成部により生成した信号と、前記第３の電圧制御信号との間のタイミング誤差および相関の少なくともいずれかを求めることにより比較する送信装置。
【請求項５】
請求項１に記載の送信装置において、
前記制御タイミング設定部は、
前記送信信号から第２の電圧制御信号を生成する第２の電圧制御信号生成部と、
前記第２の電圧制御信号のタイミングを制御するタイミング制御部と、
前記第２の電圧制御信号と、前記タイミング制御部によりタイミングを制御された第２の電圧制御信号に基づいて、前記送信信号のレベルを調整するゲイン調整値を生成するゲイン調整値生成部と、
該ゲイン調整値生成部により生成されたゲイン調整値と、前記送信信号とを乗算する乗算部と、
該乗算部によりゲイン調整値が乗算された送信信号と、前記増幅器の出力信号とを比較する比較部と、
該比較部による比較結果に基づいて、前記第２の電圧制御信号のタイミングを決定し、該タイミングに基づいて、前記第１のタイミング調整部に設定すべき制御タイミングを決定する制御タイミング決定部と
を有する送信装置。
【請求項６】
請求項５に記載の送信装置において、
前記比較部は、前記乗算部によりゲイン調整値が乗算された送信信号と、前記増幅器の出力信号との間のタイミング誤差及び／又は相関を求めることにより比較する送信装置。
【請求項７】
請求項１に記載の送信装置において、
前記制御タイミング設定部は、
前記送信信号から第２の電圧制御信号を生成する第２の電圧制御信号生成部と、
前記増幅器からの出力信号から擬似的に電圧制御信号を生成する出力信号変換部と、
前記第２の電圧制御信号のタイミングを制御するタイミング制御部と、
前記出力信号変換部により生成された疑似電圧制御信号と、前記タイミング制御部によりタイミングを制御された第２の電圧制御信号に基づいて、前記第２の電圧制御信号に相当する信号を生成する信号生成部と、
該信号生成部により生成した信号と、前記第２の電圧制御信号とを比較する比較部と、
該比較部による比較結果に基づいて、前記第２の電圧制御信号のタイミングを決定し、該タイミングに基づいて、前記第１のタイミング調整部に設定すべき制御タイミングを決定する制御タイミング決定部と
を有する送信装置。
【請求項８】
請求項７に記載の送信装置において、
前記信号生成部は、前記疑似電圧制御信号と、前記タイミング制御部によりタイミングを制御された第２の電圧制御信号に基づいて、両者の最大値を出力する送信装置。
【請求項９】
請求項７又は８に記載の送信装置において、
前記比較部は、前記信号生成部により生成した信号と、前記第２の電圧制御信号との間のタイミング誤差及び／又は相関を求めることにより比較する送信装置。
【請求項１０】
送信信号から第１の電圧制御信号を生成する第１の電圧制御信号生成ステップと、
前記第１の電圧制御信号に応じて増幅器により前記送信信号を増幅する増幅ステップと、
前記第１の電圧制御信号による前記増幅器の電圧制御の制御タイミングを調整する第１のタイミング調整ステップと、
前記増幅器からの出力信号と、前記送信信号とに基づいて、前記第１のタイミング調整部により調整される制御タイミングを設定する制御タイミング設定ステップと
を有する送信方法。
【発明の詳細な説明】
【技術分野】
【０００１】
本発明は、移動通信システムに関し、特に送信装置における電圧制御アンプに供給する電圧信号と送信信号の遅延調整方法に関する。
【背景技術】
【０００２】
無線通信システムにおける送信装置では、装置の小型化、省エネルギー化の観点から電力効率の向上が強く望まれている。特に、消費電力の大きい電力増幅器を有する送信装置では電力効率の向上の要望が強い。
【０００３】
電力増幅器の電力効率を高める技術の一例として、電力増幅器のドレイン電極若しくはゲート電極に印加する電圧を制御することにより高効率化を実現するドレイン／ゲート電圧制御技術がある。しかし、該ドレイン／ゲート電圧制御技術において所望の出力を得るためには、電力増幅器に入力される信号と電圧制御信号のタイミングとを合わせる。
【先行技術文献】
【特許文献】
【０００４】
【特許文献１】特開２００８−２２５１３号公報
【発明の概要】
【発明が解決しようとする課題】
【０００５】
電圧制御アンプの遅延調整技術の他の例として以下の技術がある。
【０００６】
送信側の遅延回路により送信信号若しくは電圧制御信号を遅延させる。送信信号若しくは電圧制御信号を遅延させた時の電力増幅器の出力信号の一部をフィードバックした信号により帯域外輻射電力測定を行う。該帯域外輻射電力の大小により遅延量を推定する。
【０００７】
該技術では、送信側の遅延回路に遅延値を設定してフィードバック信号の解析を行うことにより遅延量を推定する。送信側の遅延回路に遅延値を設定して遅延量を推定するため、調整中に不要な信号が出力される。
【０００８】
そこで、本発明は上述した問題点の少なくとも１つを解決するためになされたものであり、送信電波に与える影響を低減しつつ、送信信号を増幅する増幅器における制御タイミングを調整できる送信装置を提供することにある。
【課題を解決するための手段】
【０００９】
本送信装置は、
送信信号から第１の電圧制御信号を生成する第１の電圧制御信号生成部と、
前記第１の電圧制御信号に応じて前記送信信号を増幅する増幅器と、
前記第１の電圧制御信号による前記増幅器の電圧制御の制御タイミングを調整する第１のタイミング調整部と、
前記増幅器からの出力信号と、前記送信信号とに基づいて、前記第１のタイミング調整部により調整される制御タイミングを設定する制御タイミング設定部と
を有する。
【００１０】
本送信方法は、
送信信号から第１の電圧制御信号を生成する第１の電圧制御信号生成ステップと、
前記第１の電圧制御信号に応じて増幅器により前記送信信号を増幅する増幅ステップと、
前記第１の電圧制御信号による前記増幅器の電圧制御の制御タイミングを調整する第１のタイミング調整ステップと、
前記増幅器からの出力信号と、前記送信信号とに基づいて、前記第１のタイミング調整部により調整される制御タイミングを設定する制御タイミング設定ステップと
を有する。
【発明の効果】
【００１１】
開示の送信装置及び送信方法によれば、送信電波に与える影響を低減しつつ、送信信号を増幅する増幅器における制御タイミングを調整できる。
【図面の簡単な説明】
【００１２】
【図１】一実施例に係る無線通信システムを示す機能ブロック図である。
【図２】一実施例に係る送信装置を示す機能ブロック図である。
【図３】一実施例に係る送信装置を示す部分ブロック図である。
【図４】一実施例に係る送信装置の動作を示す説明図である。
【図５】一実施例に係る送信装置の動作を示す説明図である。
【図６】一実施例に係る送信装置の動作を示すフローチャートである。
【図７】一実施例に係る送信装置の動作を示すフローチャートである。
【図８】一実施例に係る送信装置を示す部分ブロック図である。
【図９】一実施例に係る送信装置の動作を示す説明図である。
【図１０】一実施例に係る送信装置の動作を示すフローチャートである。
【図１１】一実施例に係る送信装置を示す部分ブロック図である。
【図１２】一実施例に係る送信装置の動作を示す説明図である。
【図１３】一実施例に係る送信装置の動作を示す説明図である。
【図１４】一実施例に係る送信装置の動作を示すフローチャートである。
【発明を実施するための形態】
【００１３】
次に、本発明を実施するための形態を、以下の実施例に基づき図面を参照しつつ説明する。
【００１４】
なお、実施例を説明するための全図において、同一機能を有するものは同一符号を用い、繰り返しの説明は省略する。
【００１５】
＜システム＞
図１は、本実施例に従ったシステムの例を示す。
【００１６】
本システムは、基地局装置(BS:  Base  Station)１００と、ユーザ端末装置(UE:  User  Equipment)２００とを有する。
【００１７】
基地局装置１００は、送信部１０２と、受信部１０４と、ベースバンド処理部１０６とを有する。
【００１８】
受信部１０２は、アンテナにより受信された電波信号を中間周波数(IF:  Intermediate  Frequency)帯にダウンコンバートし、ベースバンド処理部１０６に入力する。ベースバンド処理部１０６は、受信部１０２により入力された信号を処理し、固定通信網に送信する。
【００１９】
一方、固定通信網から送信された信号は、ベースバンド処理部１０６により信号処理され、送信部１０２に入力される。送信部１０２は、ベースバンド処理部１０６により入力された信号を無線周波数(RF:  Radio  Frequency)帯にアップコンバートし、電力増幅器により増幅し、送信する。
【００２０】
ユーザ端末装置２００は、送信部２０２と、受信部２０４と、ベースバンド処理部２０６とを有する。
【００２１】
受信部２０２は、アンテナにより受信された高周波電波信号を周波数変換し、ベースバンド処理部２０６に入力する。ベースバンド処理部２０６は、受信部２０２により入力された信号をアナログ信号に変換する。ベースバンド処理部２０６に変換されたアナログ信号は、増幅され、スピーカから出力される。一方、例えば、マイクにより入力された音声信号は、ベースバンド処理部２０６に入力される。ベースバンド処理部２０６は、入力された音声信号をデジタル信号に変換し、送信部２０２に入力する。送信部２０２は、ベースバンド処理部２０６により入力されたデジタル信号を電力増幅器により増幅し、基地局装置１００に無線送信する。
【００２２】
本実施例に従った送信装置３００は、基地局装置１００と、ユーザ端末装置２００に適用できる。例えば、基地局１００の送信部１０２及び／又はユーザ端末装置２００の送信部２０２に適用されてもよい。
【００２３】
また、本実施例に従った送信装置３００は、入力信号を増幅して出力する増幅器を有する機器に適用できる。例えば、携帯情報端末(PDA:  Personal  Digital  Assistants)、携帯端末などに適用できる。
【００２４】
以下、送信装置について詳細に説明する。
【００２５】
＜送信装置＞
図２は、本実施例に従った送信装置を示す機能ブロック図である。
【００２６】
本送信装置３００は、送信信号を電圧制御信号に変換する。該電圧制御信号は、送信信号を電力増幅器により増幅する際に使用する増幅率（度）を設定するための信号であってもよい。例えば、ある所定の単位時間における送信信号の振幅に基づいて、該ある所定の単位時間における増幅率が設定されてもよい。本送信装置３００は、電力増幅器において、送信信号と電圧制御信号との入力タイミングを合わせるように制御する。例えば、本送信装置３００は、送信信号と、該送信信号が電力増幅器により増幅された信号との間のタイミングのずれが最小となるように、送信信号に対する電圧制御信号の遅延値を求める。電力増幅器において、送信信号と電圧制御信号との入力タイミングを合わせるように制御することにより、送信信号のレベルに応じて適切に増幅できる。送信信号にレベルに応じて適切に増幅できるため、増幅効率を向上させることができる。増幅効率を向上できるため、電力効率を向上できる。
【００２７】
さらに、電圧制御信号の遅延値を求める処理は、送信信号を増幅させる処理とは独立して行われる。従って、電波を送信しながら遅延値を変更することが無い。従って、不要波を出力することなく、遅延値を設定できる。
【００２８】
本送信装置３００は、電圧制御信号変換部３０２を有する。電圧制御信号変換部３０２は、ベースバンド処理部（図示なし）と接続される。電圧制御信号変換部３０２は、ベースバンド処理部により入力されるデジタル信号を電圧制御信号に変換し、該電圧制御信号をタイミング調整回路３０４に入力する。
【００２９】
本送信装置３００は、タイミング調整回路３０４を有する。タイミング調整回路３０４は電圧制御信号変換部３０２と接続される。タイミング調整回路３０４は、後述するタイミング誤差検出部３１８により設定された遅延設定値に従って、電圧制御信号変換部３０２により入力された電圧制御信号に対して、タイミング調整を行う。例えば、後述する増幅器３１４に供給する電圧制御信号のタイミングを調整する。
【００３０】
本送信装置３００は、変調器３１０を有する。変調器３１０は、ベースバンド処理部と接続される。変調器３１０は、発振器３１２からの信号により、入力信号を変調し、該変調信号を増幅器３１４に入力する。
【００３１】
本送信装置３００は、発振器３１２を有する。発振器３１２は、変調器３１０と接続される。発振器３１２は、発振信号を変調器３１０に出力する。
【００３２】
本送信装置３００は、増幅器３１４を有する。増幅器３１４は、変調器３１０と接続される。増幅器３１４は、変調器３１０により入力された信号を増幅し、該増幅した信号を出力する。出力信号は、後述するミキサ３２４に入力される。以下、該ミキサ３２４に入力される増幅器３１４の出力信号を「フィードバック信号」と呼ぶ。
【００３３】
本送信装置３００は、ミキサ３２４を有する。ミキサ３２４は、増幅器３１４の出力端子と接続される。ミキサ３２４は、フィードバック信号を発振器３２６からの発振周波数に基づいて、IF周波数にダウンコンバートし、メモリ３２０に入力する。
【００３４】
本送信装置３００は、発振器３２６を有する。発振器３２６は、ミキサ３２４と接続される。発振器３２６は、発振信号をミキサ３２４に出力する。
【００３５】
本送信装置３００は、メモリ３２０を有する。メモリ３２０は、ミキサ３２４と接続される。該メモリ３２０は、ミキサ３２４により入力されたデジタル信号を記憶する。
【００３６】
本送信装置３００は、メモリ３１６を有する。メモリ３１６は、ベースバンド処理部と接続される。メモリ３１６は、送信信号を記憶する。
【００３７】
本送信装置３００は、タイミング誤差検出部３１８を有する。タイミング誤差検出部３１８は、タイミング調整回路３０４、メモリ３１６、及び３２０と接続される。タイミング誤差検出部３１８は、メモリ３１６により記憶された送信信号と、メモリ３２０により記憶されたデジタル信号とに基づいて、送信信号と電圧制御信号との間の増幅器３１４における入力タイミングのずれが最小となるように、送信信号に対する電圧制御信号の遅延設定値を求める。該デジタル信号は、ミキサ３２４によりダウンコンバートされ、デジタル信号に変換されたフィードバック信号である。例えば、タイミング誤差検出部３１８は、メモリ３１６及び３２０から、それぞれ送信信号及びデジタル信号を時系列データとして読み出す。信号タイミング誤差検出部３１８は、求めた遅延設定値をタイミング調整回路３０４に設定する。
【００３８】
なお、電圧制御信号変換部３０２、タイミング調整回路３０４、タイミング誤差検出部３１８における処理は、デジタル信号により行われるようにしてもよい。
【００３９】
＜タイミング誤差検出部（その１）＞
図３は、タイミング誤差検出部３１８の詳細（その１）を示す。
【００４０】
タイミング誤差検出部３１８は、電圧制御信号変換部３１８２と、最小値検出部３１８４と、演算処理部３１８６と、出力信号変換部３１８８と、タイミング調整回路３１９０とを有する。
【００４１】
電圧制御信号変換部３１８２は、メモリ３１６と接続される。電圧制御信号変換部３１８２は、メモリ３１６に記憶された送信信号を時系列データとして読み出し、該時系列データを電圧制御信号に変換し、最小値検出部３１８４、及びタイミング調整回路３１９０に入力する。
【００４２】
タイミング調整回路３１９０は、電圧制御信号変換部３１８２と接続される。タイミング調整回路３１９０は、電圧制御信号変換部３１８２により入力された電圧制御信号のタイミングを調整（制御）し、最小値検出部３１８４に入力する。例えば、タイミング調整回路３１９０は、演算処理部３１８６により設定された遅延設定値Ｄ２に基づいて、電圧制御信号を遅延させて、最小値検出部３１８４に入力する。以下、タイミング調整回路３１９０により遅延させた電圧制御信号を「遅延電圧制御信号」と呼ぶ。
【００４３】
最小値検出部３１８４は、電圧制御信号変換部３１８２、及びタイミング調整回路３１９０と接続される。最小値検出部３１８４は、電圧制御信号変換部３１８２により入力された電圧制御信号と、タイミング調整回路３１９０により入力された遅延電圧制御信号とに基づいて、両者の最小値を求め、後述する出力信号変換部３１８８により出力される信号と等価な信号として演算処理部３１８６に出力する。以下、該最小値により示される信号を「最小値信号」と呼ぶ。
【００４４】
図４は、最小値検出部３１８４の処理を示す。
【００４５】
図４において、横軸は時間(t)、縦軸はエンベロープ値である。また、細い実線は電圧制御信号変換部３１８２により入力される電圧制御信号を示し、破線はタイミング調整回路３１９０により入力される、電圧制御信号を遅延設定値Ｄ２に基づいて遅延させた遅延電圧制御信号を示し、太い実線は最小値検出部３１８４の出力信号（最小値信号）を示す。該出力信号は、各時間において、電圧制御信号と遅延電圧制御信号との間で小さい方の値（最小値）により示される。
【００４６】
出力信号変換部３１８８は、メモリ３２０と接続される。出力信号変換部３１８８は、メモリ３２０に記憶された所定の処理が行われたフィードバック信号を時系列データとして読み出し、該時系列データを擬似的に電圧制御信号に変換し、演算処理部３１８６に入力する。以下、出力信号変換部３１８８により擬似的に変換された電圧制御信号を「疑似電圧制御信号」と呼ぶ。ここで、擬似的とは、フィードバック信号により電圧制御信号変換部３０２、及び３１８２と同様の処理が行われるが、電圧制御信号としては使用されないことを示す。該所定の処理は、ミキサ３２４によりダウンコンバートする処理を含む。
【００４７】
図５は、増幅器３１４の出力信号を示す。
【００４８】
図５において、横軸は時間(t)、縦軸はエンベロープ値である。また、細い実線はタイミング調整回路３０４により供給される電圧制御信号を示し、破線は変調器３１０により入力される送信信号である。換言すれば、破線は、増幅器３１４の入力信号である。太い実線は増幅器３１４の出力信号を示す。出力信号には、落ち込み点が複数見られる。ここで、送信信号と電圧制御信号との間でタイミングが揃っているならば、送信信号の落ち込みの間隔と出力信号の落ち込み間隔とは等しくなる。しかし、タイミングがずれていると、送信信号の落ち込みの間隔と出力信号の落ち込み間隔とは異なる。出力信号の落ち込みの数が増加する。
【００４９】
演算処理部３１８６は、タイミング調整回路３０４、タイミング調整回路３１９０、最小値検出部３１８４、及び出力信号変換部３１８８と接続される。演算処理部３１８６は、出力信号変換部３１８８により入力された疑似電圧制御信号と、最小値検出部３１８４からの最小値信号とを比較する。演算処理部３１８６は、疑似電圧制御信号と最小値信号との間のタイミング誤差を求める。例えば、演算処理部３１８６は、該疑似電圧制御信号と、最小値信号との間の時間誤差を求める。該時間誤差は遅延量であってもよい。また、例えば、演算処理部３１８６は、該疑似電圧制御信号と、最小値信号との間の相関を求めるようにしてもよい。演算処理部３１８６は、該タイミング誤差を一時的に記憶し、タイミング調整回路３１９０に設定する遅延設定値Ｄ２を変更する。そして、変更された遅延設定値Ｄ２により、演算処理部３１８６は、出力信号変換部３１８８により入力された疑似電圧制御信号と、最小値検出部３１８４からの最小値信号とを比較する。さらに、演算処理部３１８６は、疑似電圧制御信号と最小値信号との間のタイミング誤差を求める。例えば、演算処理部３１８６は、該疑似電圧制御信号と、最小値信号との間の時間誤差を求める。該時間誤差は遅延量であってもよい。また、例えば、演算処理部３１８６は、該疑似電圧制御信号と、最小値信号との間の相関を求めるようにしてもよい。演算処理部３１８６は、該タイミング誤差を一時的に記憶する。該遅延設定値Ｄ２の変更は、タイミング誤差が最小となるまで行われるようにしてもよいし、遅延設定値Ｄ２の変更回数を予め設定するようにしてもよい。相関値が求められる場合には、相関値が最大となるまで行われるようにしてもよいし、遅延設定値Ｄ２の変更回数を予め設定するようにしてもよい。例えば、タイミング誤差が減少し、増加に転じた場合のタイミング誤差を最小値としてもよい。また、例えば、相関値が増加し、減少に転じた場合の相関値を最大値としてもよい。演算処理部３１８６は、タイミング調整回路３１９０から、タイミング誤差が最小となった際の遅延設定値Ｄ２０を取得する。また、演算処理部３１８６は、タイミング調整回路３１９０から、最小値信号と疑似電圧制御信号との相関値が最大となった際の遅延設定値Ｄ２０を取得するようにしてもよい。そして、演算処理部３１８６は、取得した遅延設定値Ｄ２０に基づいて、タイミング調整回路３０４の遅延設定値Ｄ１を求める。そして、演算処理部３１８６は、タイミング調整回路３０４に、該遅延設定値Ｄ１を設定する。
【００５０】
＜送信装置３００の動作＞
図６は、本送信装置３００の動作を示すフローチャートである。
【００５１】
図６において、Ｄ１はタイミング調整回路３０４の遅延設定値を示し、Ｄ２はタイミング調整回路３１９０の遅延設定値を示す。Ｎは繰返し回数を示す。Ｅｒｒｍｉｎは最小（タイミング）誤差を示す。Ｄｍｉｍは最小誤差となる遅延設定値を示す。
【００５２】
送信装置３００は、パラメータの設定を行う（ステップＳ６０２）。例えば、送信装置３００は、タイミング調整回路３０４の遅延設定値Ｄ１と、タイミング調整回路３１９０の遅延設定値Ｄ２とを同じ値に設定する。また、例えば、送信装置３００は、繰返し回数ＮをＮ０に設定する。また、例えば、送信装置３００は、最小誤差Ｅｒｒｍｉｎを無限大（∞）に設定する。また、例えば、送信装置３００は、最小誤差となる遅延値Ｄｍｉｍを零に設定する。また、例えば、送信装置３００は、繰返し回数を示すパラメータｉを零に設定する。例えば、演算処理部３１８６は、遅延設定値Ｄ１、及びＤ２と、繰返し回数Ｎと、最小誤差Ｅｒｒｍｉｎと、遅延値Ｄｍｉｍと、繰返し回数を示すパラメータｉとを設定する。
【００５３】
送信装置３００は、送信信号と、フィードバック信号とをメモリに読み込む（ステップＳ６０４）。例えば、メモリ３１６はベースバンド処理部からの送信信号を記憶する。また、例えば、メモリ３２０はミキサ３２４から所定の処理が行われたフィードバック信号を記憶する。
【００５４】
送信装置３００は、メモリ１６０に記憶された送信信号と、メモリ３２０に記憶されたフィードバック信号とを時系列データとして読み出す（ステップＳ６０６）。例えば、タイミング誤差検出部３１８は、メモリ３１６に記憶された送信信号と、メモリ３２０に記憶された所定の処理が行われたフィードバック信号を時系列データとして読み出す。
【００５５】
送信装置３００は、タイミング誤差Ｅｒｒｉを検出する（ステップＳ６０８）。例えば、タイミング誤差検出部３１８は、最小値信号と疑似電圧制御信号との間のタイミング誤差Ｅｒｒｉを検出する。上述したように最小値信号は、電圧制御信号に変換した送信信号と、該電圧制御信号を遅延設定値Ｄ２に基づいて遅延させた遅延電圧制御信号とに基づいて、求められる。
【００５６】
送信装置３００は、ステップＳ６０８により検出されたタイミング誤差Ｅｒｒｉが、最小誤差Ｅｒｒｍｉｎ未満であるかを判定する（ステップＳ６１０）。例えば、タイミング誤差検出部３１８は、タイミング誤差Ｅｒｒｉが、最小誤差Ｅｒｒｍｉｎ未満であるかどうかを判定する。
【００５７】
タイミング誤差Ｅｒｒｉが、最小誤差Ｅｒｒｍｉｎ未満である場合（ステップＳ６１０：ＹＥＳ）、送信装置３００は、最小誤差Ｅｒｒｍｉｎにタイミング誤差Ｅｒｒｉを設定し、遅延値Ｄｍｉｎに遅延設定値Ｄ２を設定する（ステップＳ６１２）。例えば、タイミング誤差検出部３１８は、タイミング誤差Ｅｒｒｉが最小誤差Ｅｒｒｍｉｎ未満である場合、最小誤差Ｅｒｒｍｉｎにタイミング誤差Ｅｒｒｉを設定し、遅延値Ｄｍｉｎに遅延設定値Ｄ２を設定する。
【００５８】
タイミング誤差Ｅｒｒｉが、最小誤差Ｅｒｒｍｉｎ未満でない場合（ステップＳ６１０：ＮＯ）、換言すれば、タイミング誤差Ｅｒｒｉが最小誤差Ｅｒｒｍｉｎ以上である場合及びステップＳ６１２により最小誤差Ｅｒｒｍｉｎにタイミング誤差Ｅｒｒｉを設定し、遅延値Ｄｍｉｎに遅延設定値Ｄ２を設定した後、送信装置３００は、繰返し回数を示すパラメータｉが繰返し回数Ｎより大きいかどうかを判定する（ステップＳ６１４）。該繰返し回数Ｎは予め設定される。例えば、タイミング誤差検出部３１８は、繰返し回数を示すパラメータｉが繰返し回数Ｎより大きいかどうかを判定する。
【００５９】
繰返し回数を示すパラメータｉが繰返し回数Ｎより大きい場合（ステップＳ６１４：ＹＥＳ）、送信装置３００は、タイミング調整回路３０４の遅延設定値Ｄ１が、タイミング調整回路３１９０において遅延量が零となる遅延設定値Ｄ２０未満であるかどうかを判定する（ステップＳ６１８）。例えば、タイミング誤差検出部３１８は、タイミング調整回路３０４の遅延設定値Ｄ１が、タイミング調整回路３１９０において遅延量が零となる遅延設定値Ｄ２０未満であるかどうかを判定する。
【００６０】
一方、繰返し回数を示すパラメータｉが繰返し回数Ｎ以下である場合（ステップＳ６１４：ＮＯ）、送信装置３００は、ｉに１を加えた値を新たなｉとする（ステップＳ６１６）。そして、ステップＳ６０６に戻る。再度、遅延設定値Ｄ２が設定され、タイミング誤差が検出される。
【００６１】
ステップＳ６１８により、タイミング調整回路３０４の遅延設定値Ｄ１が、遅延設定値Ｄ２０未満であると判定された場合（ステップＳ６１８：ＹＥＳ）、送信装置３００は、遅延設定値Ｄ２０から最小誤差となる遅延値Ｄｍｉｎを引いた値を求め、該値を遅延設定値Ｄ１に加えた値を、タイミング調整回路３０４に設定すべき遅延設定値Ｄ１とする（ステップＳ６２０）。すなわち、Ｄ１＋（Ｄ２０−Ｄｍｉｎ）により、タイミング調整回路３０４に設定すべき遅延設定値Ｄ１が求められる。例えば、タイミング誤差検出部３１８は、遅延設定値Ｄ２０から最小誤差となる遅延値Ｄｍｉｎを引いた値を求め、該値を遅延設定値Ｄ１に加えた値を、タイミング調整回路３０４に設定すべき遅延設定値Ｄ１とする。
【００６２】
一方、ステップＳ６１８により、タイミング調整回路３０４の遅延設定値Ｄ１が、タイミング調整回路３１９０において遅延量が零となる遅延設定値Ｄ２０未満でないと判定された場合（ステップＳ６１８：ＮＯ）、換言すれば、タイミング調整回路３０４の遅延設定値Ｄ１が、タイミング調整回路３１９０において遅延量が零となる遅延設定値Ｄ２０以上であると判定された場合、送信装置３００は、最小誤差となる遅延値Ｄｍｉｎから遅延設定値Ｄ２０を引いた値を求め、該値を遅延設定値Ｄ１から引いた値を、タイミング調整回路３０４に設定すべき遅延設定値Ｄ１とする（ステップＳ６２２）。すなわち、Ｄ１−（Ｄｍｉｎ−Ｄ２０）により、タイミング調整回路３０４に設定すべき遅延設定値Ｄ１が求められる。例えば、タイミング誤差検出部３１８は、最小誤差となる遅延値Ｄｍｉｎから遅延設定値Ｄ２０を引いた値を求め、該値を遅延設定値Ｄ１から引いた値を、タイミング調整回路３０４に設定すべき遅延設定値Ｄ１とする。
【００６３】
＜タイミング誤差検出部における処理＞
図７は、本送信装置３００のタイミング誤差検出部３１８の動作を示すフローチャートである。
【００６４】
タイミング誤差検出部３１８は、送信信号を電圧制御信号に変換する（ステップＳ７０２）。例えば、電圧制御信号変換部３１８２は、メモリ３１６に記憶された送信信号を読み出し、該送信信号を電圧制御信号に変換する。
【００６５】
タイミング誤差検出部３１８は、タイミング調整回路３１９０に電圧制御信号の出力遅延設定値Ｄ２を設定する（ステップＳ７０４）。例えば、演算処理部３１８６は、タイミング調整回路３１９０に、電圧制御信号の出力遅延設定値Ｄ２を設定する。
【００６６】
タイミング誤差検出部３１８は、電圧制御信号と、タイミング調整回路３１９０に設定された遅延設定値Ｄ２により遅延させた遅延電圧制御信号とに基づいて、最小値を検出する（ステップＳ７０６）。例えば、最小値検出部３１８４は、電圧制御信号と、遅延電圧制御信号とに基づいて、最小値を検出する。最小値検出部３１８４から最小値信号が出力される。
【００６７】
タイミング誤差検出部３１８は、所定の処理が行われたフィードバック信号を疑似電圧制御信号に変換する（ステップＳ７０８）。例えば、出力信号変換部３１８８は、メモリ３２０に記憶された所定の処理が行われたフィードバック信号を時系列データとして読み出し、該時系列データを疑似電圧制御信号に変換する。
【００６８】
タイミング誤差検出部３１８は、最小値信号と、疑似電圧制御信号とに基づいて、タイミング誤差Ｅｒｒｉを求める（ステップＳ７１０）。例えば、演算処理部３１８６は、出力信号変換部３１８８により入力された疑似電圧制御信号と、最小値検出部３１８４からの最小値信号とを比較する。演算処理部３１８６は、疑似電圧制御信号と最小値信号との間のタイミング誤差Ｅｒｒｉを求める。例えば、演算処理部３１８６は、該疑似電圧制御信号と、最小値信号との間の時間誤差を求める。該時間誤差は遅延量であってもよい。
【００６９】
本実施例において、送信信号に対して遅延設定値を設定するようにしてもよい。送信信号に対して遅延設定値を設定する場合には、ベースバンド処理部と増幅器３１４との間にタイミング調整回路を備えるようにしてもよい。
【００７０】
本送信装置によれば、信号の送信に関わらない部分を用いて遅延設定値を推定するため、不要波を出力することなく遅延調整することが可能である。
【００７１】
また、メモリに記憶した送信信号を時系列データとして読み出し、該時系列データから電圧制御信号を生成し、該電圧制御信号を遅延回路により遅延させた遅延電圧制御信号を生成する。そして、電圧制御信号と遅延電圧制御信号との間で最小値を検出することにより、増幅器からの出力信号と等価な信号、換言すれば、増幅器からの出力信号に相当する信号を生成する。一方、メモリに記憶した増幅器からのフィードバック信号を時系列データとして読み出し、該時系列データから疑似電圧制御信号を生成する。そして、増幅器からの出力信号と等価な信号と、疑似電圧制御信号とのタイミング誤差が最小となる(基準値からの)遅延値を求め、該遅延値により電圧制御信号又は送信信号の増幅器における制御タイミングを補正する。
【００７２】
＜タイミング誤差検出部（その２）＞
図８は、タイミング誤差検出部３１８の詳細（その２）を示す。
【００７３】
タイミング誤差検出部３１８は、電圧制御信号変換部３１８２と、タイミング調整回路３１９０と、ゲイン調整部３１９２と、乗算器３１９４と、演算処理部３１９６とを有する。
【００７４】
電圧制御信号変換部３１８２は、メモリ３１６と接続される。電圧制御信号変換部３１８２は、メモリ３１６に記憶された送信信号を時系列データとして読み出し、該時系列データを電圧制御信号に変換し、ゲイン調整部３１９２、及びタイミング調整回路３１９０に入力する。
【００７５】
タイミング調整回路３１９０は、電圧制御信号変換部３１８２と接続される。タイミング調整回路３１９０は、電圧制御信号変換部３１８２により入力された電圧制御信号のタイミングを調整し、ゲイン調整部３１９２に入力する。例えば、タイミング調整回路３１９０は、演算処理部３１９６により設定された遅延設定値Ｄ２に基づいて、電圧制御信号のタイミングを調整し、ゲイン調整部３１９２に入力する。該タイミングは、ゲイン調整部３１９２に入力するタイミングであってもよい。
【００７６】
ゲイン調整部３１９２は、電圧制御信号変換部３１８２、及びタイミング調整回路３１９０と接続される。ゲイン調整部３１９２は、電圧制御信号変換部３１８２により入力された電圧制御信号（以下、「電圧制御信号Ｂ」と呼ぶ）と、タイミング調整回路３１９０により入力された電圧制御信号のタイミングを調整した信号（以下、「タイミング調整信号Ａ」と呼ぶ）とに基づいて、ゲイン調節値を求める。例えば、ゲイン調節部３１９２は、タイミング調整信号Ａより電圧制御信号Ｂが進んでいて、且つ電圧制御信号Ｂの振幅の方がタイミング調整信号Ａの振幅より大きい場合（タイミング調整信号Ａの振幅が電圧制御信号Ｂの振幅未満の場合）には、タイミング調整信号Ａの振幅を電圧制御信号Ｂの振幅により除算することによりゲイン調節値を求める。また、例えば、ゲイン調節部３１９２は、タイミング調整信号Ａより電圧制御信号Ｂが進んでいて、且つ電圧制御信号Ｂの振幅の方がタイミング調整信号Ａの振幅より大きくない場合（電圧制御信号Ｂの振幅がタイミング調整信号Ａの振幅以下の場合）には、ゲイン調節値を１とする。
【００７７】
また、例えば、ゲイン調節部３１９２は、タイミング調整信号Ａより電圧制御信号Ｂが遅れていて、且つ電圧制御信号Ｂの振幅の方がタイミング調整信号Ａの振幅より大きい場合（電圧制御信号Ｂの振幅がタイミング調整信号Ａの振幅以上の場合）には、ゲイン調節値を１とする。また、例えば、ゲイン調節部３１９２は、タイミング調整信号Ａより電圧制御信号Ｂが遅れていて、且つタイミング調整信号Ａの振幅の方が電圧制御信号Ｂの振幅より大きい場合（電圧制御信号Ｂの振幅がタイミング調整信号Ａの振幅未満の場合）には、電圧制御信号Ｂの振幅をタイミング調整信号Ａの振幅により除算することによりゲイン調節値を求める。ゲイン調節部３１９２は、ゲイン調節値を乗算器３１９４に入力する。
【００７８】
乗算器３１９４は、メモリ３１６、及びゲイン調整部３１９２と接続される。乗算部３１９４は、メモリ３１６から時系列データとして読み出された送信信号に、ゲイン調整部３１９２により入力されたゲイン調整値を乗算し、演算処理部３１９６に入力する。以下、乗算器３１９４により出力される信号を「ゲイン調整送信信号」と呼ぶ。
【００７９】
図９は、乗算器３１９４により出力される信号を示す。
【００８０】
図９において、横軸は時間(t)、縦軸はエンベロープ値である。また、細い実線は電圧制御信号変換部３１８２により入力される電圧制御信号Ｂを示し、破線はタイミング調整回路３１９０により入力される電圧制御信号を遅延設定値Ｄ２に基づいてタイミング調整させたタイミング調整信号Ａを示し、太い実線は乗算器３１９４の出力信号（ゲイン調整送信信号）を示す。図９には、タイミング調整信号Ａより電圧制御信号Ｂが進んでいる例を示す。
【００８１】
演算処理部３１９６は、乗算部３１９４、メモリ３２０、タイミング調整回路３０４、及びタイミング調整回路３１９０と接続される。演算処理部３１９６は、メモリ３２０に記憶された所定の処理が行われたフィードバック信号の時系列データと、乗算器３１９４により入力されたゲイン調整送信信号とを比較する。演算処理部３１９６は、両者のタイミング誤差を求める。例えば、演算処理部３１９６は、ゲイン調整送信信号と、所定の処理が行われたフィードバック信号の時系列データとの間の時間誤差を求める。該時間誤差は遅延量であってもよい。また、例えば、演算処理部３１９６は、ゲイン調整送信信号と、所定の処理が行われたフィードバック信号の時系列データとの間の相関を求めるようにしてもよい。演算処理部３１９６は、該タイミング誤差を一時的に記憶し、タイミング調整回路３１９０に設定する遅延設定値Ｄ２を変更する。そして、変更された遅延設定値Ｄ２により、演算処理部３１９６は、メモリ３２０に記憶された所定の処理が行われたフィードバック信号の時系列データと、乗算器３１９４により入力されたゲイン調整送信信号とを比較する。演算処理部３１９６は、両者のタイミング誤差を求める。例えば、演算処理部３１９６は、ゲイン調整送信信号と、所定の処理が行われたフィードバック信号の時系列データとの間の相関を求めるようにしてもよい。演算処理部３１９６は、該タイミング誤差を一時的に記憶する。該遅延設定値Ｄ２の変更は、タイミング誤差が最小となるまで行われるようにしてもよいし、遅延設定値Ｄ２の変更回数を予め設定するようにしてもよい。相関値が求められる場合には、相関値が最大となるまで行われるようにしてもよいし、遅延設定値Ｄ２の変更回数を予め設定するようにしてもよい。例えば、タイミング誤差が減少し、増加に転じた場合のタイミング誤差を最小値としてもよい。また、例えば、相関値が増加し、減少に転じた場合の相関値を最大値としてもよい。演算処理部３１９６は、タイミング調整回路３１９０から、タイミング誤差が最小となった際の遅延設定値Ｄminを取得する。また、演算処理部３１９６は、タイミング調整回路３１９０から、相関値が最大となった際の遅延設定値を取得するようにしてもよい。そして、演算処理部３１９６は、取得した遅延設定値Ｄminに基づいて、タイミング調整回路３０４の遅延設定値Ｄ１を求める。そして、演算処理部３１８６は、タイミング調整回路３０４に、該遅延設定値Ｄ１を設定する。
【００８２】
＜送信装置３００の動作＞
本送信装置３００の動作は、図６に示すフローチャートと同様である。
【００８３】
＜タイミング誤差検出部における処理＞
図１０は、本送信装置３００のタイミング誤差検出部３１８の動作を示すフローチャートである。
【００８４】
タイミング誤差検出部３１８は、送信信号を電圧制御信号Ｂに変換する（ステップＳ１００２）。例えば、電圧制御信号変換部３１８２は、メモリ３１６に記憶された送信信号を時系列データとして読み出し、該時系列データを電圧制御信号Ｂに変換する。
【００８５】
タイミング誤差検出部３１８は、タイミング調整回路３１９０に電圧制御信号の出力遅延設定値Ｄ２を設定する（ステップＳ１００４）。例えば、演算処理部３１８６は、タイミング調整回路３１９０に、電圧制御信号の出力遅延設定値Ｄ２を設定する。
【００８６】
タイミング誤差検出部３１８は、タイミング調整回路３１９０に設定された遅延設定値Ｄ２によりタイミング調整されたタイミング調整信号Ａより電圧制御信号Ｂが進んでいるかを判定する（ステップＳ１００６）。例えば、ゲイン調整部３１９２は、タイミング調整信号Ａより電圧制御信号Ｂが進んでいるかを判定する。
【００８７】
タイミング調整信号Ａより電圧制御信号Ｂが進んでいると判定された場合（ステップＳ１００６：ＹＥＳ）、タイミング誤差検出部３１８は、タイミング調整信号Ａの大きさ（振幅）｜Ａ｜が電圧制御信号Ｂの大きさ（振幅）｜Ｂ｜未満であるかどうかを判定する（ステップＳ１００８）。例えば、ゲイン調整部３１９２は、タイミング調整信号Ａの振幅｜Ａ｜が電圧制御信号Ｂの振幅｜Ｂ｜未満であるかどうかを判定する。
【００８８】
タイミング調整信号Ａの振幅｜Ａ｜が電圧制御信号Ｂの振幅｜Ｂ｜未満である場合（ステップＳ１００８：ＹＥＳ）、タイミング誤差検出部３１８は、タイミング調整信号Ａの振幅｜Ａ｜を、電圧制御信号Ｂの振幅｜Ｂ｜により除算することによりゲイン調節値を求める（ステップＳ１０１０）。例えば、ゲイン調整部３１９２は、タイミング調整信号Ａの振幅｜Ａ｜を、電圧制御信号Ｂの振幅｜Ｂ｜により除算することによりゲイン調節値を求める。
【００８９】
一方、タイミング調整信号Ａの振幅｜Ａ｜が電圧制御信号Ｂの振幅｜Ｂ｜未満でない場合（ステップＳ１００８：ＮＯ）、タイミング誤差検出部３１８は、ゲイン調節値を１とする（ステップＳ１０１２）。例えば、ゲイン調整部３１９２は、ゲイン調節値を１とする。
【００９０】
一方、タイミング調整信号Ａより電圧制御信号Ｂが進んでいると判定されない場合（ステップＳ１００６：ＮＯ）、タイミング誤差検出部３１８は、電圧制御信号Ｂの大きさ（振幅）｜Ｂ｜がタイミング調整信号Ａの大きさ（振幅）｜Ａ｜未満であるかを判定する（ステップＳ１０１４）。例えば、ゲイン調整部３１９２は、電圧制御信号Ｂの振幅｜Ｂ｜がタイミング調整信号Ａの振幅｜Ａ｜未満であるかどうかを判定する。
【００９１】
電圧制御信号Ｂの振幅｜Ｂ｜がタイミング調整信号Ａの振幅｜Ａ｜未満である場合（ステップＳ１０１４：ＹＥＳ）、タイミング誤差検出部３１８は、電圧制御信号Ｂの振幅｜Ｂ｜を、タイミング調整信号Ａの振幅｜Ａ｜により除算することによりゲイン調節値を求める（ステップＳ１０１６）。例えば、ゲイン調整部３１９２は、電圧制御信号Ｂの振幅｜Ｂ｜を、タイミング調整信号Ａの振幅｜Ａ｜により除算することによりゲイン調節値を求める。
【００９２】
一方、電圧制御信号Ｂの振幅｜Ｂ｜がタイミング調整信号Ａの振幅｜Ａ｜未満でない場合（ステップＳ１０１４：ＮＯ）、タイミング誤差検出部３１８は、ゲイン調節値を１とする（ステップＳ１０１２）。例えば、ゲイン調整部３１９２は、ゲイン調節値を１とする。
【００９３】
タイミング誤差検出部３１８は、送信信号に、ステップＳ１０１０、Ｓ１０１２、又はＳ１０１６により求められたゲイン調整値を乗算する（ステップＳ１０１８）。例えば、乗算部３１９４は、送信信号に、ゲイン調整部３１９２により入力されたゲイン調整値を乗算する。
【００９４】
タイミング誤差検出部３１８は、所定の処理が行われたフィードバック信号の時系列データと、ゲイン調整送信信号とに基づいて、タイミング誤差Ｅｒｒｉを求める（ステップＳ１０２０）。例えば、演算処理部３１９６は、乗算部３１９４により入力されたゲイン調整送信信号と、メモリ３２０に記憶された所定の処理が行われたフィードバック信号を読み出すことにより得られる時系列データとを比較する。演算処理部３１８６は、ゲイン調整送信信号と所定の処理が行われたフィードバック信号の時系列データとの間のタイミング誤差Ｅｒｒｉを求める。該時間誤差は遅延量であってもよい。
【００９５】
本送信装置３００によれば、送信信号からフィードバック信号に相当する信号を作成できる。従って、電圧制御信号に変換することなく、タイミング誤差を求めることができる。
【００９６】
＜タイミング誤差検出部（その３）＞
図１１は、タイミング誤差検出部３１８の詳細（その３）を示す。
【００９７】
タイミング誤差検出部３１８は、電圧制御信号変換部３１８２と、演算処理部３２００と、出力信号変換部３１８８と、タイミング調整回路３１９０と、最大値検出部３１９８とを有する。
【００９８】
電圧制御信号変換部３１８２は、メモリ３１６と接続される。電圧制御信号変換部３１８２は、メモリ３１６に記憶された送信信号を時系列データとして読み出し、該系列データを電圧制御信号に変換し、演算処理部３２００、及びタイミング調整回路３１９０に入力する。
【００９９】
図１２は、電圧制御信号の一例を示す。図１２において、横軸は時間(t)、縦軸はエンベロープ値である。
【０１００】
タイミング調整回路３１９０は、電圧制御信号変換部３１８２と接続される。タイミング調整回路３１９０は、電圧制御信号変換部３１８２により入力された電圧制御信号のタイミングを調整（制御）し、最大値検出部３１９８に入力する。例えば、タイミング調整回路３１９０は、演算処理部３２００により設定された遅延設定値Ｄ２に基づいて、電圧制御信号を遅延させて、最大値検出部３１９８に入力する。以下、タイミング調整回路３１９０により最大値検出部３１９８に入力される信号を「遅延電圧制御信号」と呼ぶ。
【０１０１】
出力信号変換部３１８８は、メモリ３２０と接続される。出力信号変換部３１８８は、メモリ３２０に記憶された所定の処理が行われたフィードバック信号を時系列データとして読み出し、該時系列データを擬似的に電圧制御信号に変換し、最大値検出部３１９８に入力する。以下、出力信号変換部３１８８により擬似的に変換された電圧制御信号を疑似電圧制御信号と呼ぶ。ここで、擬似的とは、フィードバック信号により電圧制御信号変換部３０２、及び３１８２と同様の処理が行われるが、電圧制御信号としては使用されないことを示す。該所定の処理は、ミキサ３２４によりダウンコンバートする処理を含む。
【０１０２】
最大値検出部３１９８は、出力信号変換部３１８８、及びタイミング調整回路３１９０と接続される。最大値検出部３１９８は、出力信号変換部３１８８により入力された疑似電圧制御信号と、タイミング調整回路３１９０により入力された遅延電圧制御信号とに基づいて、両者の最大値を求め、電圧制御信号変換部３１８２により出力される電圧制御信号と等価な信号として演算処理部３２００に出力する。以下、該最大値により示される信号を「最大値信号」と呼ぶ。
【０１０３】
図１３は、最大値検出部３１９８の処理を示す。
【０１０４】
図１３において、横軸は時間(t)、縦軸はエンベロープ値である。また、細い実線は出力信号変換部３１８８により入力される疑似電圧制御信号を示し、破線はタイミング調整回路３１９０により入力される電圧制御信号を遅延設定値Ｄ２に基づいて遅延させた遅延電圧制御信号を示し、太い実線は最大値検出部３１９８の出力信号を示す。該出力信号は、各時間において、電圧制御信号と遅延電圧制御信号との間で大きい方の値（最大値）により示される。
【０１０５】
演算処理部３２００は、タイミング調整回路３０４、電圧制御信号変換部３１８２、タイミング調整回路３１９０、及び最大値検出部３１９８と接続される。演算処理部３２００は、電圧制御信号変換部３１８２により入力された電圧制御信号と、最大値検出部３１９８からの最大値信号とを比較する。演算処理部３２００は、電圧制御信号と最大値信号との間のタイミング誤差を求める。該時間誤差は遅延量であってもよい。例えば、演算処理部３２００は、該電圧制御信号の最大値信号に対する時間誤差を求める。また、例えば、演算処理部３２００は、該電圧制御信号と、最大値信号との間の相関を求めるようにしてもよい。演算処理部３２００は、該タイミング誤差を一時的に記憶し、タイミング調整回路３１９０に設定する遅延設定値Ｄ２を変更する。そして、変更された遅延設定値Ｄ２により、演算処理部３２００は、電圧制御信号変換部３１８２により入力された電圧制御信号と、最大値検出部３１９８からの最大値信号とを比較する。演算処理部３２００は、電圧制御信号と最大値信号との間のタイミング誤差を求める。例えば、演算処理部３２００は、該電圧制御信号と、最大値信号との間の時間誤差を求める。該時間誤差は遅延量であってもよい。また、例えば、演算処理部３２００は、該電圧制御信号と、最大値信号との間の相関を求めるようにしてもよい。演算処理部３２００は、該タイミング誤差を一時的に記憶する。該遅延設定値Ｄ２の変更は、タイミング誤差が最小となるまで行われるようにしてもよいし、遅延設定値Ｄ２の変更回数を予め設定するようにしてもよい。相関値が求められる場合には、相関値が最大となるまで行われるようにしてもよいし、遅延設定値Ｄ２の変更回数を予め設定するようにしてもよい。例えば、タイミング誤差が減少し、増加に転じた場合のタイミング誤差を最小値としてもよい。また、例えば、相関値が増加し、減少に転じた場合の相関値を最大値としてもよい。演算処理部３２００は、タイミング調整回路３１９０から、タイミング誤差が最小となった際の遅延設定値Ｄminを取得する。そして、演算処理部３２００は、取得した遅延設定値Ｄminに基づいて、タイミング調整回路３０４の遅延設定値Ｄ１を求める。そして、演算処理部３２００は、タイミング調整回路３０４に、該遅延設定値Ｄ１を設定する。
【０１０６】
＜送信装置３００の動作＞
本送信装置３００の動作は、図６に示すフローチャートと同様である。
【０１０７】
＜タイミング誤差検出部における処理＞
図１４は、本送信装置３００のタイミング誤差検出部３１８の動作を示すフローチャートである。
【０１０８】
タイミング誤差検出部３１８は、送信信号を電圧制御信号に変換する（ステップＳ１４０２）。例えば、電圧制御信号変換部３１８２は、メモリ３１６に記憶された送信信号を読み出し、該送信信号を電圧制御信号に変換する。
【０１０９】
タイミング誤差検出部３１８は、タイミング調整回路３１９０に電圧制御信号の出力遅延設定値Ｄ２を設定する（ステップＳ１４０４）。例えば、演算処理部３２００は、タイミング調整回路３１９０に、電圧制御信号の出力遅延設定値Ｄ２を設定する。
【０１１０】
タイミング誤差検出部３１８は、所定の処理が行われたフィードバック信号を疑似電圧制御信号に変換する（ステップＳ１４０６）。例えば、出力信号変換部３１８８は、メモリ３２０に記憶された所定の処理が行われたフィードバック信号を時系列データとして読み出し、該時系列データを疑似電圧制御信号に変換する。
【０１１１】
タイミング誤差検出部３１８は、疑似電圧制御信号と、タイミング調整回路３１９０に設定された遅延設定値Ｄ２により遅延させた遅延電圧制御信号とに基づいて、最大値を検出する（ステップＳ１４０８）。例えば、最大値検出部３１９８は、該疑似電圧制御信号と、遅延電圧制御信号とに基づいて、最大値を検出する。最大値検出部３１９８から最大値信号が出力される。
【０１１２】
タイミング誤差検出部３１８は、最大値信号と、送信信号を変換することにより生成した電圧制御信号とに基づいて、タイミング誤差Ｅｒｒｉを求める（ステップＳ１４１０）。例えば、演算処理部３２００は、電圧制御信号変換部３１８２により入力された電圧制御信号と、最大値検出部３１９８からの最大値信号とを比較する。演算処理部３２００は、電圧制御信号と最大値信号との間のタイミング誤差Ｅｒｒｉを求める。例えば、演算処理部３２００は、該電圧制御信号と、最大値信号との間の時間誤差を求める。該時間誤差は遅延量であってもよい。
【０１１３】
本送信装置３００によれば、増幅器の出力信号から、送信信号を変換することにより得られる電圧制御信号に相当する信号を生成できる。
【０１１４】
以上の実施例を含む実施形態に関し、更に以下の付記を開示する。
（付記１）
送信信号から第１の電圧制御信号を生成する第１の電圧制御信号生成部と、
前記第１の電圧制御信号に応じて前記送信信号を増幅する増幅器と、
前記第１の電圧制御信号による前記増幅器の電圧制御の制御タイミングを調整する第１のタイミング調整部と、
前記増幅器からの出力信号と、前記送信信号とに基づいて、前記第１のタイミング調整部により調整される制御タイミングを設定する制御タイミング設定部と
を有する送信装置。
（付記２）
付記１に記載の送信装置において、
前記制御タイミング設定部は、
前記送信信号から第２の電圧制御信号を生成する第２の電圧制御信号生成部と、
前記増幅器からの出力信号から擬似的に電圧制御信号を生成する出力信号変換部と、
前記第２の電圧制御信号のタイミングを制御するタイミング制御部と、
前記第２の電圧制御信号と、前記タイミング制御部によりタイミングを制御された第２の電圧制御信号に基づいて、前記出力信号変換部により生成される疑似電圧制御信号に相当する信号を生成する信号生成部と、
該信号生成部により生成した信号と、前記疑似電圧制御信号とを比較する比較部と、
該比較部による比較結果に基づいて、前記第２の電圧制御信号のタイミングを決定し、該タイミングに基づいて、前記第１のタイミング調整部に設定すべき制御タイミングを決定する制御タイミング決定部と
を有する送信装置。
（付記３）
付記２に記載の送信装置において、
前記信号生成部は、前記第２の電圧制御信号と、前記タイミング制御部によりタイミングを制御された第２の電圧制御信号に基づいて、両者の最小値を出力する送信装置。
（付記４）
付記２又は３に記載の送信装置において、
前記比較部は、前記信号生成部により生成した信号と、前記第３の電圧制御信号との間のタイミング誤差および相関の少なくともいずれかを求めることにより比較する送信装置。
（付記５）
付記１に記載の送信装置において、
前記制御タイミング設定部は、
前記送信信号から第２の電圧制御信号を生成する第２の電圧制御信号生成部と、
前記第２の電圧制御信号のタイミングを制御するタイミング制御部と、
前記第２の電圧制御信号と、前記タイミング制御部によりタイミングを制御された第２の電圧制御信号に基づいて、前記送信信号のレベルを調整するゲイン調整値を生成するゲイン調整値生成部と、
該ゲイン調整値生成部により生成されたゲイン調整値と、前記送信信号とを乗算する乗算部と、
該乗算部によりゲイン調整値が乗算された送信信号と、前記増幅器の出力信号とを比較する比較部と、
該比較部による比較結果に基づいて、前記第２の電圧制御信号のタイミングを決定し、該タイミングに基づいて、前記第１のタイミング調整部に設定すべき制御タイミングを決定する制御タイミング決定部と
を有する送信装置。
（付記６）
付記５に記載の送信装置において、
前記ゲイン調整値生成部は、
前記タイミング制御部によりタイミングを制御された第２の電圧制御信号より前記第２の電圧制御信号の方が進んでおり、且つ前記タイミング制御部によりタイミングを制御された第２の電圧制御信号の振幅が前記第２の電圧制御信号の振幅未満である場合に、前記ゲイン調整値を、前記タイミング制御部によりタイミングを制御された第２の電圧制御信号の振幅を前記第２の電圧制御信号の振幅により除算した値とし、
前記タイミング制御部によりタイミングを制御された第２の電圧制御信号より前記第２の電圧制御信号の方が進んでおり、且つ前記タイミング制御部によりタイミングを制御された第２の電圧制御信号の振幅が前記第２の電圧制御信号の振幅未満でない場合に、前記ゲイン調整値を１とする送信装置。
（付記７）
付記５に記載の送信装置において、
前記ゲイン調整値生成部は、
前記タイミング制御部によりタイミングを制御された第２の電圧制御信号より前記第２の電圧制御信号の方が遅れており、且つ前記第２の電圧制御信号の振幅が前記タイミング制御部によりタイミングを制御された第２の電圧制御信号の振幅未満である場合に、前記ゲイン調整値を、前記第２の電圧制御信号の振幅を前記タイミング制御部によりタイミングが制御された第２の電圧制御信号の振幅により除算した値とし、
前記タイミング制御部によりタイミングを制御された第２の電圧制御信号より前記第２の電圧制御信号の方が遅れており、且つ前記第２の電圧制御信号の振幅が前記タイミング制御部によりタイミングを制御された第２の電圧制御信号の振幅未満でない場合に、前記ゲイン調整値を１とする送信装置。
（付記８）
付記５ないし７の何れか１項に記載の送信装置において、
前記比較部は、前記乗算部によりゲイン調整値が乗算された送信信号と、前記増幅器の出力信号との間のタイミング誤差及び／又は相関を求めることにより比較する送信装置。
（付記９）
付記１に記載の送信装置において、
前記制御タイミング設定部は、
前記送信信号から第２の電圧制御信号を生成する第２の電圧制御信号生成部と、
前記増幅器からの出力信号から擬似的に電圧制御信号を生成する出力信号変換部と、
前記第２の電圧制御信号のタイミングを制御するタイミング制御部と、
前記出力信号変換部により生成された疑似電圧制御信号と、前記タイミング制御部によりタイミングを制御された第２の電圧制御信号に基づいて、前記第２の電圧制御信号に相当する信号を生成する信号生成部と、
該信号生成部により生成した信号と、前記第２の電圧制御信号とを比較する比較部と、
該比較部による比較結果に基づいて、前記第２の電圧制御信号のタイミングを決定し、該タイミングに基づいて、前記第１のタイミング調整部に設定すべき制御タイミングを決定する制御タイミング決定部と
を有する送信装置。
（付記１０）
付記９に記載の送信装置において、
前記信号生成部は、前記疑似電圧制御信号と、前記タイミング制御部によりタイミングを制御された第２の電圧制御信号に基づいて、両者の最大値を出力する送信装置。
（付記１１）
付記９又は１０に記載の送信装置において、
前記比較部は、前記信号生成部により生成した信号と、前記第２の電圧制御信号との間のタイミング誤差および相関の少なくともいずれかを求めることにより比較する送信装置。
（付記１２）
送信信号から第１の電圧制御信号を生成する第１の電圧制御信号生成ステップと、
前記第１の電圧制御信号に応じて増幅器により前記送信信号を増幅する増幅ステップと、
前記第１の電圧制御信号による前記増幅器の電圧制御の制御タイミングを調整する第１のタイミング調整ステップと、
前記増幅器からの出力信号と、前記送信信号とに基づいて、前記第１のタイミング調整部により調整される制御タイミングを設定する制御タイミング設定ステップと
を有する送信方法。
（付記１３）
付記１２に記載の送信方法において、
前記制御タイミング設定ステップは、
前記送信信号から第２の電圧制御信号を生成する第２の電圧制御信号生成ステップと、
前記増幅器からの出力信号から擬似的に電圧制御信号を生成する出力信号変換ステップと、
前記第２の電圧制御信号のタイミングを制御するタイミング制御ステップと、
前記第２の電圧制御信号と、前記タイミング制御部によりタイミングを制御された第２の電圧制御信号に基づいて、前記出力信号変換ステップにより生成される疑似電圧制御信号に相当する信号を生成する信号生成ステップと、
該信号生成ステップにより生成した信号と、前記疑似電圧制御信号とを比較する比較ステップと、
該比較ステップによる比較結果に基づいて、前記第２の電圧制御信号のタイミングを決定し、該タイミングに基づいて、前記第１のタイミング調整ステップに設定すべき制御タイミングを決定する制御タイミング決定ステップと
を有する送信方法。
（付記１４）
付記１２に記載の送信方法において、
前記制御タイミング設定ステップは、
前記送信信号から第２の電圧制御信号を生成する第２の電圧制御信号生成ステップと、
前記第２の電圧制御信号のタイミングを制御するタイミング制御ステップと、
前記第２の電圧制御信号と、前記タイミング制御ステップによりタイミングを制御された第２の電圧制御信号に基づいて、前記送信信号のレベルを調整するゲイン調整値を生成するゲイン調整値生成ステップと、
該ゲイン調整値生成ステップにより生成されたゲイン調整値と、前記送信信号とを乗算する乗算ステップと、
該乗算ステップによりゲイン調整値が乗算された送信信号と、前記増幅器の出力信号とを比較する比較ステップと、
該比較ステップによる比較結果に基づいて、前記第２の電圧制御信号のタイミングを決定し、該タイミングに基づいて、前記第１のタイミング調整ステップに設定すべき制御タイミングを決定する制御タイミング決定ステップと
を有する送信方法。
（付記１５）
付記１２に記載の送信方法において、
前記制御タイミング設定ステップは、
前記送信信号から第２の電圧制御信号を生成する第２の電圧制御信号生成ステップと、
前記増幅器からの出力信号から擬似的に電圧制御信号を生成する出力信号変換ステップと、
前記第２の電圧制御信号のタイミングを制御するタイミング制御ステップと、
前記出力信号変換部により生成された疑似電圧制御信号と、前記タイミング制御ステップによりタイミングを制御された第２の電圧制御信号に基づいて、前記第２の電圧制御信号に相当する信号を生成する信号生成ステップと、
該信号生成ステップにより生成した信号と、前記第２の電圧制御信号とを比較する比較ステップと、
該比較ステップによる比較結果に基づいて、前記第２の電圧制御信号のタイミングを決定し、該タイミングに基づいて、前記第１のタイミング調整ステップに設定すべき制御タイミングを決定する制御タイミング決定ステップと
を有する送信方法。
【符号の説明】
【０１１５】
１００  基地局装置(BS:  Base  Station)
１０２  送信部
１０４  受信部
１０６  ベースバンド処理部
２００  ユーザ端末装置(UE:  User  Equipment)
２０２  送信部
２０４  受信部
２０６  ベースバンド処理部
３００  送信装置
３０２  電圧制御信号変換部
３０４  タイミング調整回路
３１０  直交変換器
３１２  発振器
３１４  増幅器
３１６  メモリ
３１８  タイミング誤差検出部
３２０  メモリ
３２４  ミキサ
３２６  発振器
３１８２  電圧制御信号変換部
３１８４  最小値検出部
３１８６  演算処理部
３１８８  電圧制御信号変換部
３１９０  タイミング調整回路
３１９２  ゲイン調整部
３１９４  乗算器
３１９６  演算処理部
３１９８  最大値検出部
３２００  演算処理部
【図１】
2011055178.tif 000003
【図２】
2011055178.tif 000004
【図３】
2011055178.tif 000005
【図４】
2011055178.tif 000006
【図６】
2011055178.tif 000007
【図７】
2011055178.tif 000008
【図８】
2011055178.tif 000009
【図９】
2011055178.tif 000010
【図１０】
2011055178.tif 000011
【図１１】
2011055178.tif 000012
【図１２】
2011055178.tif 000013
【図１３】
2011055178.tif 000014
【図１４】
2011055178.tif 000015
【図５】
2011055178.tif 000016